(57)【要約】【課題】携帯通信端末とテレビ受信機を同期通信させ、コンテンツの閲覧、商品の決済までを携帯通信端末側で一括して行う携帯通信端末、テレビ受信機、携帯通信端末制御サーバ、Ｅコマースシステム、Ｅコマース方法及びＥコマースプログラムを提供する。【解決手段】Ｅコマースシステム１００は、テレビ受信機１と、携帯通信端末２と、携帯通信端末制御サーバ３を備え、テレビ受信機１は、無線通信可能範囲に存在する携帯通信端末と同期処理と、ＥＰＧＩＤの送信処理を行い、携帯通信端末２は、テレビ受信機よりＥＰＧＩＤを取得すると、携帯通信端末制御サーバ３にＥＰＧＩＤにて特定される現在放送中の番組に関する情報を送信するよう依頼し、携帯通信端末制御サーバ３は、ＥＰＧＩＤにて特定される現在放送中の番組に関する情報であるＥＰＧＩＤ毎表示データをＥＰＧＩＤ毎表示データ記憶部より取得し、携帯通信端末に送信する。【選択図】    図１
2012029050.tif 000002
【特許請求の範囲】
【請求項１】
インターネット回線網を介しての通信が可能な携帯通信端末であって、
デジタル放送を表示するテレビ受信機と無線通信可能範囲において同期処理を行い、同期完了後は前記テレビ受信機が現在放送中の番組を特定するＥＰＧＩＤを前記テレビ受信機から受信するＥＰＧ通信部
を備えることを特徴とする携帯通信端末。
【請求項２】
前記テレビ受信機より前記ＥＰＧ通信部を介して前記ＥＰＧＩＤを入力し、前記ＥＰＧＩＤを前記インターネット回線網へ出力し、前記ＥＰＧＩＤにて特定される前記現在放送中の番組に関する情報を前記インターネット回線網より入力するＥＰＧ通信部制御手段
を更に備えることを特徴とする請求項１に記載の携帯通信端末。
【請求項３】
デジタル放送を表示するテレビ受信機であって、
前記テレビ受信機との無線通信可能範囲に存在する携帯通信端末と同期処理を行い、同期完了後は前記テレビ受信機が現在放送中の番組を特定するＥＰＧＩＤを前記携帯通信端末に送信するＥＰＧ通信部
を備えることを特徴とするテレビ受信機。
【請求項４】
携帯通信端末と通信可能な携帯通信端末制御サーバであって、
デジタル放送が所定単位毎に識別可能となるＩＤであるＥＰＧＩＤを付与されたＥＰＧが入力されると、当該ＥＰＧＩＤ毎に前記携帯通信端末に送信するためのＥＰＧＩＤ毎表示データを作成するＥＰＧＩＤ毎表示データ登録更新手段と、
前記ＥＰＧＩＤ毎表示データを格納するＥＰＧＩＤ毎表示データ記憶部と、
前記携帯通信端末より前記デジタル放送を表示するテレビ受信機との同期処理依頼を受けて、前記同期処理を行う同期処理手段と、
前記携帯通信端末より、前記テレビ受信機より取得したＥＰＧＩＤに関するＥＰＧＩＤ毎表示データの送信依頼を受け、前記ＥＰＧＩＤ毎表示データ記憶部より前記ＥＰＧＩＤを基に前記ＥＰＧＩＤ毎表示データを検索する画面表示用データ検索手段と、
検索された前記ＥＰＧＩＤ毎表示データを前記携帯通信端末に送信する画面表示用データ送信手段
とを備えることを特徴とする携帯通信端末制御サーバ。
【請求項５】
携帯通信端末と、前記携帯通信端末を制御する携帯通信端末制御サーバを含むＥコマースシステムにおいて、当該システムは、
デジタル放送を表示するテレビ受信機であって、前記テレビ受信機との無線通信可能範囲に存在する前記携帯通信端末と同期処理を行い、同期完了後は前記テレビ受信機が現在放送中の番組を特定するＥＰＧＩＤを前記携帯通信端末に送信するＥＰＧ通信部を備えるテレビ受信機を有し、
前記携帯通信端末は、前記テレビ受信機と無線通信可能範囲において同期処理を行い、同期完了後は前記ＥＰＧＩＤを前記テレビ受信機から受信するＥＰＧ通信部と、前記テレビ受信機より前記ＥＰＧ通信部を介して前記ＥＰＧＩＤを入力し、前記ＥＰＧＩＤを前記インターネット回線網を介して前記携帯通信端末制御サーバへ出力し、前記ＥＰＧＩＤにて特定される前記現在放送中の番組に関する情報であるＥＰＧＩＤ毎表示データを前記インターネット回線網を介して前記携帯通信端末制御サーバより入力するＥＰＧ通信部制御手段を備え、
前記携帯通信端末制御サーバは、前記ＥＰＧＩＤを付与されたＥＰＧが入力されると、当該ＥＰＧＩＤ毎に前記携帯通信端末に送信するためのＥＰＧＩＤ毎表示データを作成するＥＰＧＩＤ毎表示データ登録更新手段、前記ＥＰＧＩＤ毎表示データを格納するＥＰＧＩＤ毎表示データ記憶部、前記携帯通信端末より前記テレビ受信機との同期処理依頼を受けて、前記同期処理を行う同期処理手段、前記携帯通信端末より、前記テレビ受信機より取得したＥＰＧＩＤに関するＥＰＧＩＤ毎表示データの送信依頼を受け、前記ＥＰＧＩＤ毎表示データ記憶部より前記ＥＰＧＩＤを基に前記ＥＰＧＩＤ毎表示データを検索する画面表示用データ検索手段、検索された前記ＥＰＧＩＤ毎表示データを前記携帯通信端末に送信する画面表示用データ送信手段とを備える
ことを特徴とするＥコマースシステム。
【請求項６】
デジタル商品を前記携帯通信端末に双方向通信で販売する双方向サービス事業社サーバと、
非デジタル商品を前記携帯通信端末に販売するテレビ通販サーバ
とを更に備え、
前記ＥＰＧＩＤ毎表示データ登録更新手段は、前記双方向サービス事業社サーバ及び前記テレビ通販サーバを含むサーバからの依頼により、前記双方向サービス事業社サーバ及び前記テレビ通販サーバの販売する商品に関連する情報を基に前記ＥＰＧＩＤ毎表示データを作成する
ことを特徴とする請求項５に記載のＥコマースシステム。
【請求項７】
前記販売の際に電子決済を行う決済サーバを更に備え、
前記携帯通信端末は、
前記商品を購入する際に決済処理行うＥコマース決済手段と、
前記決済処理に必要な決済情報を格納するメモリ部を更に備え、
前記Ｅコマース決済手段は、前記ＥＰＧＩＤ毎表示データを基に前記商品を購入する際、前記メモリ部内の決済情報を基に前記決済サーバに決済処理を依頼する
ことを特徴とする請求項５又は６に記載のＥコマースシステム。
【請求項８】
携帯通信端末と、前記携帯通信端末を制御する携帯通信端末制御サーバを備えるシステムにて行われるＥコマース方法において、当該システムは、
デジタル放送を表示するテレビ受信機であって、前記テレビ受信機との無線通信可能範囲に存在する前記携帯通信端末と同期処理を行い、同期完了後は前記テレビ受信機が現在放送中の番組を特定するＥＰＧＩＤを前記携帯通信端末に送信するＥＰＧ通信部を備えるテレビ受信機を有し、
前記携帯通信端末においては、
ＥＰＧ通信部が、前記テレビ受信機と無線通信可能範囲において同期処理を行い、同期完了後は前記テレビ受信機が現在放送中の番組を特定するＥＰＧＩＤを前記テレビ受信機から受信するステップと、
ＥＰＧ通信部制御手段が、前記テレビ受信機より前記ＥＰＧ通信部を介して前記ＥＰＧＩＤを入力し、前記ＥＰＧＩＤを前記インターネット回線網を介して前記携帯通信端末制御サーバへ出力し、前記ＥＰＧＩＤにて特定される前記現在放送中の番組に関する情報を前記インターネット回線網を介して前記携帯通信端末制御サーバより入力するステップとを有し、
前記携帯通信端末制御サーバにおいては、
前記ＥＰＧＩＤを付与されたＥＰＧが入力されると、ＥＰＧＩＤ毎表示データ登録更新手段が当該ＥＰＧＩＤ毎に前記携帯通信端末に送信するためのＥＰＧＩＤ毎表示データを作成するステップと、
前記ＥＰＧＩＤ毎表示データをＥＰＧＩＤ毎表示データ記憶部に格納するステップと、
前記携帯通信端末より前記テレビ受信機との同期処理依頼を受けて、同期処理手段が前記同期処理を行うステップと、
前記携帯通信端末より、前記テレビ受信機より取得したＥＰＧＩＤに関するＥＰＧＩＤ毎表示データの送信依頼を受け、画面表示用データ検索手段が前記ＥＰＧＩＤ毎表示データ記憶部より前記ＥＰＧＩＤを基に前記ＥＰＧＩＤ毎表示データを検索するステップと、
検索された前記ＥＰＧＩＤ毎表示データを画面表示用データ送信手段が前記携帯通信端末に送信するステップ
とを有することを特徴とするＥコマース方法。
【請求項９】
双方向サービス事業社サーバがデジタル商品を前記携帯通信端末に双方向通信で販売するステップと、
テレビ通販サーバが非デジタル商品を前記携帯通信端末に販売するステップ
とを更に備え、
前記作成するステップは、前記双方向サービス事業社サーバ及び前記テレビ通販サーバを含むサーバからの依頼により、前記双方向サービス事業社サーバ及び前記テレビ通販サーバの販売する商品に関連する情報を基に前記ＥＰＧＩＤ毎表示データを作成する
ことを特徴とする請求項８に記載のＥコマース方法。
【請求項１０】
前記販売の際に決済サーバが電子決済を行うステップと、
前記携帯通信端末が前記商品を購入する際にＥコマース決済手段が決済処理行うステップと、
前記決済処理に必要な決済情報をメモリ部に格納するステップ
とを更に備え、
前記電子決済を行うステップでは、前記ＥＰＧＩＤ毎表示データを基に前記商品を購入する際、前記メモリ部内の決済情報を基に前記決済サーバに決済処理を依頼する
ことを特徴とする請求項８又は９に記載のＥコマース方法。
【請求項１１】
請求項５乃至７に記載のＥコマースシステムを各コンピュータに実行させるためのＥコマースシステムプログラム。
【請求項１２】
請求項８乃至１０に記載のＥコマース方法を各コンピュータに実行させるためのＥコマースシステムプログラム。
【発明の詳細な説明】
【技術分野】
【０００１】
本発明は、テレビ受信機に表示されるコンテンツの閲覧、商品の購入等する際、手持ちの携帯通信端末とテレビ受信機を同期通信させ、携帯通信端末からテレビ受像装置の操作を行い、コンテンツの閲覧、商品の選定・購入・決済までを携帯通信端末側で一括して行う携帯通信端末、テレビ受信機、携帯通信端末制御サーバ、Ｅコマースシステム、Ｅコマース方法及びＥコマースプログラムに関する。
【背景技術】
【０００２】
従来、テレビ受信機（パソコン、ビデオ機器等のテレビ表示端末も含む）を通じてコンテンツの閲覧・購入、有料ビデオの視聴、テレビショッピング等で商品を購入する場合、電話による購入を除けば、インターネットに接続された端末から画面の指示に従いリモコンやキーボードを利用してコンテンツを閲覧したり、個人情報や課金方法等を登録したりする方法が一般的であった。又、普段は使用していない知人宅や旅先のホテル等で同様の課金方法を使用するためには、セキュリティの為パスワードに加えて個人を特定するＩＤ等の入力を行っていた（特許文献１参照）。
【先行技術文献】
【特許文献】
【０００３】
【特許文献１】特開２００２−４２０２０号公報
【発明の概要】
【発明が解決しようとする課題】
【０００４】
しかしながら、特許文献１の手法では、勝手に個人情報を利用されることを防ぐセキュリティ対策の為、購入の度にテレビ受信機のリモコン等からパスワード等を入力する必要があった。簡易な操作しか出来ないリモコンではこの入力処理に手間取り、利便性の悪さにより、顧客が購入を断念することもあり、即時購入の機会を失っていた。更に、普段は使用していない知人宅や旅先のホテル等で同様の課金方法を使用する際には、顧客はセキュリティ面に不安を感じていた。このセキュリティ強化の為、パスワードに加えて個人を特定するＩＤ等の入力もおこなう手法もあるが、当該ＩＤ入力が必須となることから、当該ＩＤの入力等操作面で更に利便性が悪くなり、更に顧客の購入の意欲を削ぐ結果となっていた
本発明の目的は、上記の問題を解決する為になされたものであり、携帯通信端末がテレビ受信機と同期を取り、当該テレビ受信機リモコンとしての簡易性と、課金面での利便性、安全性、秘匿性、即時性を備えることで、顧客が場所等の制約を受けずに即時にテレビ受信機に映し出される商品等のコンテンツ閲覧、商品購入をすることができる、携帯通信端末、テレビ受信機、携帯通信端末制御サーバ、Ｅコマースシステム、Ｅコマース方法及びＥコマースプログラムを提供することを目的とする。
【課題を解決するための手段】
【０００５】
上記問題点を解決する為、本発明の第１の特徴は、（イ）インターネット回線網を介しての通信が可能な携帯通信端末であって、デジタル放送を表示するテレビ受信機と無線通信可能範囲において同期処理を行い、同期完了後はテレビ受信機が現在放送中の番組を特定するＥＰＧＩＤをテレビ受信機から受信するＥＰＧ通信部を備える携帯通信端末であることを要旨とする。更に本発明の第１の特徴には、（ロ）テレビ受信機よりＥＰＧ通信部を介してＥＰＧＩＤを入力し、ＥＰＧＩＤをインターネット回線網へ出力し、ＥＰＧＩＤにて特定される現在放送中の番組に関する情報をインターネット回線網より入力するＥＰＧ通信部制御手段を更に備えること加えても良い。
【０００６】
本発明の第２の特徴は、デジタル放送を表示するテレビ受信機であって、テレビ受信機との無線通信可能範囲に存在する携帯通信端末と同期処理を行い、同期完了後はテレビ受信機が現在放送中の番組を特定するＥＰＧＩＤを携帯通信端末に送信するＥＰＧ通信部を備えるテレビ受信機であることを要旨とする。
【０００７】
本発明の第３の特徴は、（イ）携帯通信端末と通信可能な携帯通信端末制御サーバであって、デジタル放送が所定単位毎に識別可能となるＩＤであるＥＰＧＩＤを付与されたＥＰＧが入力されると、当該ＥＰＧＩＤ毎に携帯通信端末に送信するためのＥＰＧＩＤ毎表示データを作成するＥＰＧＩＤ毎表示データ登録更新手段と、（ロ）ＥＰＧＩＤ毎表示データを格納するＥＰＧＩＤ毎表示データ記憶部と、（ハ）携帯通信端末よりデジタル放送を表示するテレビ受信機との同期処理依頼を受けて、同期処理を行う同期処理手段と、（ニ）携帯通信端末より、テレビ受信機より取得したＥＰＧＩＤに関するＥＰＧＩＤ毎表示データの送信依頼を受け、ＥＰＧＩＤ毎表示データ記憶部よりＥＰＧＩＤを基にＥＰＧＩＤ毎表示データを検索する画面表示用データ検索手段と、（ホ）検索されたＥＰＧＩＤ毎表示データを携帯通信端末に送信する画面表示用データ送信手段とを備える携帯通信端末制御サーバであることを要旨とする。
【０００８】
本発明の第４の特徴は、（イ）携帯通信端末と、携帯通信端末を制御する携帯通信端末制御サーバを含むＥコマースシステムにおいて、当該システムは、デジタル放送を表示するテレビ受信機であって、テレビ受信機との無線通信可能範囲に存在する携帯通信端末と同期処理を行い、同期完了後はテレビ受信機が現在放送中の番組を特定するＥＰＧＩＤを携帯通信端末に送信するＥＰＧ通信部を備えるテレビ受信機を有し、（ロ）携帯通信端末は、テレビ受信機と無線通信可能範囲において同期処理を行い、同期完了後はＥＰＧＩＤをテレビ受信機から受信するＥＰＧ通信部と、テレビ受信機よりＥＰＧ通信部を介してＥＰＧＩＤを入力し、ＥＰＧＩＤをインターネット回線網を介して携帯通信端末制御サーバへ出力し、ＥＰＧＩＤにて特定される現在放送中の番組に関する情報であるＥＰＧＩＤ毎表示データをインターネット回線網を介して携帯通信端末制御サーバより入力するＥＰＧ通信部制御手段を備え、（ハ）携帯通信端末制御サーバは、ＥＰＧＩＤを付与されたＥＰＧが入力されると、当該ＥＰＧＩＤ毎に携帯通信端末に送信するためのＥＰＧＩＤ毎表示データを作成するＥＰＧＩＤ毎表示データ登録更新手段、ＥＰＧＩＤ毎表示データを格納するＥＰＧＩＤ毎表示データ記憶部、携帯通信端末よりテレビ受信機との同期処理依頼を受けて、同期処理を行う同期処理手段、携帯通信端末より、テレビ受信機より取得したＥＰＧＩＤに関するＥＰＧＩＤ毎表示データの送信依頼を受け、ＥＰＧＩＤ毎表示データ記憶部よりＥＰＧＩＤを基にＥＰＧＩＤ毎表示データを検索する画面表示用データ検索手段、検索されたＥＰＧＩＤ毎表示データを携帯通信端末に送信する画面表示用データ送信手段とを備えるＥコマースシステムであることを要旨とする。
【０００９】
本発明の第５の特徴は、（イ）携帯通信端末と、携帯通信端末を制御する携帯通信端末制御サーバを備えるシステムにて行われるＥコマース方法において、当該システムは、デジタル放送を表示するテレビ受信機であって、テレビ受信機との無線通信可能範囲に存在する携帯通信端末と同期処理を行い、同期完了後はテレビ受信機が現在放送中の番組を特定するＥＰＧＩＤを携帯通信端末に送信するＥＰＧ通信部を備えるテレビ受信機を有し、（ロ）携帯通信端末においては、ＥＰＧ通信部が、テレビ受信機と無線通信可能範囲において同期処理を行い、同期完了後はテレビ受信機が現在放送中の番組を特定するＥＰＧＩＤをテレビ受信機から受信するステップと、ＥＰＧ通信部制御手段が、テレビ受信機よりＥＰＧ通信部を介してＥＰＧＩＤを入力し、ＥＰＧＩＤをインターネット回線網を介して携帯通信端末制御サーバへ出力し、ＥＰＧＩＤにて特定される現在放送中の番組に関する情報をインターネット回線網を介して携帯通信端末制御サーバより入力するステップとを有し、（ハ）携帯通信端末制御サーバにおいては、ＥＰＧＩＤを付与されたＥＰＧが入力されると、ＥＰＧＩＤ毎表示データ登録更新手段が当該ＥＰＧＩＤ毎に携帯通信端末に送信するためのＥＰＧＩＤ毎表示データを作成するステップと、ＥＰＧＩＤ毎表示データをＥＰＧＩＤ毎表示データ記憶部に格納するステップと、携帯通信端末よりテレビ受信機との同期処理依頼を受けて、同期処理手段が同期処理を行うステップと、携帯通信端末より、テレビ受信機より取得したＥＰＧＩＤに関するＥＰＧＩＤ毎表示データの送信依頼を受け、画面表示用データ検索手段がＥＰＧＩＤ毎表示データ記憶部よりＥＰＧＩＤを基にＥＰＧＩＤ毎表示データを検索するステップと、検索されたＥＰＧＩＤ毎表示データを画面表示用データ送信手段が携帯通信端末に送信するステップとを有するＥコマース方法であることを要旨とする。
【００１０】
本発明の第６の特徴は、請求項５乃至７に記載のＥコマースシステムを各コンピュータに実行させるためのＥコマースシステムプログラムであることを要旨とする。
【００１１】
本発明の第７の特徴は、請求項８乃至１０に記載のＥコマース方法を各コンピュータに実行させるためのＥコマースシステムプログラムであることを要旨とする。
【発明の効果】
【００１２】
本発明の携帯通信端末、テレビ受信機、携帯通信端末制御サーバ、Ｅコマースシステム、Ｅコマース方法及びＥコマースプログラムによると、テレビ受信機の放送情報と連動した個人の携帯通信端末からワンプッシュで即時購買が可能となる。1つのテレビ受像装置に対して、同じ場所にある複数の携帯通信端末から個別の決済ルールに基づき同時に購買が可能となる。第三者のテレビ受信機で視聴した放送情報に対して、テレビ受像装置側に決済情報や個人情報を受け渡さずにセキュリティを担保した状態で、個人の携帯通信端末から即時購買が可能となる。最低限の操作でユーザの意思表示が可能なように、テレビ放送の情報に連動して操作ツール（タッチパネル等）を動的に変化させることで、年齢や知識進度に関わらず誰でも容易に操作が可能となる。テレビ放送情報との同期方式を複数備えることで、機器間の互換性や利用環境に左右されない利用が可能となる。
【図面の簡単な説明】
【００１３】
【図１】本発明の実施の形態に係るＥコマースシステムの構造を示すシステム図である。
【図２】テレビ受信機と携帯通信端末の内部構造を示す図である。
【図３】携帯通信端末制御サーバの内部構造を示す図である。
【図４】ＥＰＧＩＤ毎表示データ記憶部の内部を示す図である。
【図５】テレビ受信機、携帯通信端末および携帯通信端末制御サーバの間の動作を示す図である。
【図６】携帯通信端末の同期機能を発揮するための画面図である。
【図７】携帯通信端末の決済機能を登録するための画面遷移図である。
【図８】テレビ受信機と同期した携帯通信端末の複数機能を提示する画面図である。
【図９】双方向サービス事業者サーバ、携帯通信端末制御サーバおよび決済サーバの間の動作を示す図である。
【図１０】テレビ受信機と同期した携帯通信端末の商品決済機能を提示する画面図である。
【図１１】テレビ受信機と同期した携帯通信端末のオンデマンドビデオ決済機能を提示する画面図である。
【図１２】テレビ受信機と同期した携帯通信端末のビデオ購入後のリモコン機能を提示する画面図である。
【図１３】テレビ受信機と同期した携帯通信端末のオンデマンドゲーム決済機能を提示する画面図である。
【図１４】テレビ受信機と同期した携帯通信端末のゲーム購入後のリモコン機能を提示する画面図である。
【発明を実施するための形態】
【００１４】
次に、図面を参照して、本発明の実施の形態を説明する。以下の図面の記載において、同一又は類似の部分には同一又は類似の符号を付している。ただし、図面は模式的なものであることに留意すべきである。
【００１５】
（実施の形態）
（Ｅコマースシステム）
本発明の実施の形態に係るＥコマースシステム１００は、図１に示すように、テレビ受信機１、携帯通信端末２、携帯通信端末制御サーバ３、ＥＰＧ配信サーバ４、双方向サービス事業社サーバ５、テレビ通販サーバ６、決済サーバ７、放送局システム８、受信アンテナ９およびインターネット回線網１０等を備えている。
【００１６】
ＥＰＧ配信サーバ４は、ＥＰＧ情報を配信するサーバであり、ＥＰＧ情報の作成や配信を行う為の入力装置、出力装置、通信制御装置、ＣＰＵ、記憶装置、表示装置等を備えている。ＥＰＧとはエレクトリックプログラムガイドのことであり、テレビの画面に表示される電子番組表のことである。電子番組表の配信には、電波の隙間を使って番組表データを送出し、専用の端末で受信する方式と、テレビにつなげるインターネット端末を利用する方式がある。更にＥＰＧ配信サーバ４は、ＥＰＧ情報に、所定単位毎、例えば放送番組毎や広告番組毎にユニークとなるＩＤであるＥＰＧＩＤを付与する。ＥＰＧＩＤは、番組識別子と有効期間を判別できる時間コードで構成されており、３０分の１秒単位での登録が行える。ＥＰＧＩＤはできるだけ簡易に符号化されていることが望ましい。付与されたＥＰＧＩＤは当該サーバ４内に登録される。ＥＰＧ配信サーバ４は、携帯通信端末制御サーバ３および放送局システム８に有線無線の専用回線等にて接続され、ＥＰＧＩＤを備えるＥＰＧ情報をこれらに対して送信する。
【００１７】
放送局システム８は、デジタルテレビ放送のためのシステムであり、映像８ａ、音声８ｂ、データ放送８ｃ、更にＥＰＧＩＤ８ｅを備えるＥＰＧ情報８ｄを、信号形式多重化手段８ｆが多重化し、公衆電波、公衆回線等に乗せてテレビ受信機に配信する。
【００１８】
テレビ受信機１は、テレビ受信機用の受信アンテナ９からデジタル放送データであるＭＰＥＧ−２ ＴＳ（トランスポートストリーム）パケットを受信し、その画面上に映像８ａ、音声８ｂ、データ放送８ｃから成るテレビ番組、広告番組およびＥＰＧ情報８ｄ等を表示する。尚、ＭＰＥＧ−２ ＴＳとは、映像と音声の多重化方式を定義したものである。ＩＳＯ/ＩＥＣとＩＴＵ−Ｔの合同規格で、ＩＳＯ/ＩＥＣでは「１３８１８−１：２０００」、ＩＴＵ−Ｔ勧告では「Ｈ.２２２．０」として規格化されている。ＭＰＥＧ−２ ＴＳは複数の映像を1つのストリームで扱うことができる。更に、衛星、地上波、ＩＰ回線など多少エラーがあるかもしれない回線を使っての遠隔地への伝送や放送を目的として設計されており、広域伝送では多くの伝送機材を経由するためデータ欠落が発生しやすいが、ＭＰＥＧ−２ ＴＳでは小規模なデータエラーが発生してもエラーの検出が可能である。更に、ＭＰＥＧ−２ ＴＳは内包する映像の形式に取り決めはなく、一般的に内包されるＭＰＥＧ−２ ＶｉｄｅｏやＭＰＥＧ−１ Ａｕｄｉｏ以外にもＭＰＥＧ−４ ＡＶＣ／Ｈ．２６４や、映像以外のデータ形式を内包させる事ができる。 ＭＰＥＧ−２ ＴＳは１８８バイト単位のデータとなり、この １８８バイト単位のデータをＴＳパケットと呼ぶ。
【００１９】
更にテレビ受信機１は、現在放送しているテレビ番組、広告番組を特定するＥＰＧＩＤ８ｅを同期信号としてテレビ受信機１の周囲に放送する。同期信号の放送範囲は無線通信、例えば赤外線通信、ＷｉＦｉ通信、Ｂｌｕｅｔｏｏｔｈ通信等が可能な範囲とする。尚、有線通信であっても構わない。同期信号放送はテレビ受信機１がテレビ番組等を放送している限り、継続される。
【００２０】
上記の無線通信範囲に存在する携帯通信端末２は、同期信号を受信すると、テレビ受信機１と同期を取り、現在のテレビ受信機１が放送している番組に関する情報を送信してくれるように携帯通信端末制御サーバ３に対してＥＰＧＩＤ８ｅと共に送信依頼する。又、放送している番組に関する情報を受信すると当該情報を画面上に表示する。
【００２１】
双方向サービス事業社サーバ５は、ビデオ配信、音楽配信および電子書籍配信等のデジタル商品を、顧客の携帯通信端末２と双方向サービス事業社サーバ５間の双方向通信で販売する事業社のサーバである。双方向サービス事業社サーバ５は、デジタル商品の広告、受注および配信を行う為の入力装置、出力装置、通信制御装置、ＣＰＵ、記憶装置、表示装置等を備えている。双方向サービス事業社サーバ５はその業種毎に複数存在して構わない。
【００２２】
テレビ通販サーバ６は、テレビ放送やインターネット上の広告にてデジタル商品以外の有体物の商品、例えば電化製品、化粧品等の販売を行い、当該商品を配送する業者のサーバであり、商品の広告、受注および配送を行う為の入力装置、出力装置、通信制御装置、ＣＰＵ、記憶装置、表示装置等を備えている。テレビ通販サーバ６はその業種毎に複数存在して構わない。
【００２３】
携帯通信端末制御サーバ３は、携帯通信端末２より、現在放送している番組に関する情報の送信依頼を受信すると、ＥＰＧＩＤ８ｅにより放送番組等を判断し、予めＥＰＧＩＤ８ｅ毎に作成してある番組に関する情報を携帯通信端末２に返信する。番組に関する情報とは、予め双方向サービス事業社サーバ５やテレビ通販サーバ６から依頼されているデジタル商品および非デジタル商品に関する情報、購入手段、商品アンケート等から成る。
【００２４】
決済サーバ７は、携帯通信端末２が、双方向サービス事業社サーバ５やテレビ通販サーバ６との間で商取引を行う際に、電子決済を行うためのサーバである。
【００２５】
インターネット回線網１０は、アナログ回線、デジタル回線、PHS回線、携帯電話回線、ケーブル回線等の公衆通信回線網であり、携帯通信端末２、携帯通信端末制御サーバ３、双方向サービス事業社サーバ５、テレビ通販サーバ６および決済サーバ７等を接続可能としている。テレビ受信機１は、インターネット回線網１０と接続していてもいなくても構わないが、後述するインターネットを介したゲームプレイ等をする際には接続が必須となる。
【００２６】
（テレビ受信機）
テレビ受信機１は、図２に示すように、選局部１２、ＯＦＤＮ復調部１３、誤り訂正部１４、多重分離部１５、ＭＰＥＧデコード部１６、画像重畳部１７、双方向通信部１８、ＣＰＵ１９、画像表示部２０、スピーカ２１、ＥＰＧ通信部２２等を備える。ＣＰＵ１９は、字幕／データ放送制御手段１９ａ、ＥＰＧ制御手段１９ｂ、リモコン制御手段１９ｃ、ＥＰＧ通信部制御手段１９ｄおよび双方向通信部制御手段１９ｅ等を備える。
【００２７】
選局部１２は、希望の伝送チャンネルを選局する。ＯＦＤＮ復調部１３は、多重化されたＴＳパケットより、“ ０”、“１”のデジタル信号を取り出す。
【００２８】
誤り訂正部１４は、取り出されたデジタル信号の誤り訂正を行い、放送局から送り出したＴＳパケットに戻す。多重分離部１５では、ＴＳパケットを映像パケット、音声パケット、データ放送パケット、ＥＰＧパケット、選局に必要な情報パケット等を目的別に分離する。
【００２９】
ＭＰＥＧデコード部１６は、映像パケットおよび音声パケットを受け取り、多重分離されたＴＳから映像信号と音声信号を複号する。画像重畳部１７は、ＭＰＥＧデコードされた映像信号と、ＣＰＵで処理された字幕やデータ放送、ＥＰＧの画像、ＥＰＧ通信部２２の状態表示などを重ね合わせ、画像表示部２０に送る。
【００３０】
双方向通信部１８は、ＣＰＵ１９の命令によりテレビ受信機１と電話回線又はインターネット回線１０等との双方向通信を行う。尚、双方向通信は、デジタル商品購入後にテレビ受信機１を介して当該商品を視聴等する、例えばビデオを視聴する、ゲームをプレイする等の処理を行わないならば、接続していなくても構わない。
【００３１】
画像表示部２０は、液晶ディスプレイ等からなる表示装置であり、画像重畳部１７から受信した映像、ＥＰＧ情報等を表示する。スピーカ２１は、ＭＰＥＧデコード部１６から受信するデコードされた音声を放送する。ＥＰＧ通信部２２は、ＥＰＧＩＤ８ｅを所定の近辺範囲に存在する携帯通信端末２への同期信号として放送する。放送は例えば赤外線通信、ＷｉＦｉ通信、Ｂｌｕｅｔｏｏｔｈ通信等にて行われる。ＥＰＧＩＤ８ｅには、番組を特定するための識別子と、ＩＤの有効期間を判別する時間コードが含まれる。
【００３２】
ＣＰＵ１９は、適宜に以下の手段を取得し演算処理する。これによりテレビ受信機の備える各機能のプログラムが実行される。
【００３３】
字幕／データ放送制御手段１９ａは、番組の字幕やデータ放送に関する、チャンネル選局、復調、多重分離、画像重畳、画像表示等の制御を行う。
【００３４】
ＥＰＧ制御手段１９ｂは、ＥＰＧに関するチャンネル選局、復調、多重分離、画像重畳、画像表示等の制御を行う。
【００３５】
リモコン制御手段１９ｃは、携帯通信端末２からの遠隔操作に対応し、チャンネル選局、音量の大小等の視聴環境における制御を行う。更に、携帯通信端末２からビデオ視聴やゲームプレイに係る遠隔操作指示を受けると、当該指示に対する制御を行う。
【００３６】
ＥＰＧ通信部制御手段１９ｄは、画像表示部２０やスピーカ２１にて現在表示、放送している番組を識別するためのＥＰＧＩＤ８ｅを、ＥＰＧ通信部２２が同期信号としてテレビ受信機１の所定周囲に放送するよう制御し、他にも同期処理に必要な処理を行う。双方向通信部制御手段１９ｅは、テレビ受信機１と電話回線又はインターネット回線１０等との間における双方向データ通信の制御を行う。
【００３７】
（携帯通信端末）
携帯通信端末２は、図２に示すように、ＥＰＧ通信部３１、ＣＰＵ３２、画像表示部３３、スピーカ３４、双方向通信部３５およびメモリ部３６等を備える。ＣＰＵ３２は、字幕／データ放送制御手段３２ａ、ＥＰＧ制御手段３２ｂ、リモコン手段３２ｃ、ＥＰＧ通信部制御手段３２ｄ、双方向通信部制御手段３２ｅ、ユーザ情報登録手段３２ｆ、Ｅコマース決済手段３２ｇ等を備える。
【００３８】
ＥＰＧ通信部３１は、携帯通信端末２がテレビ受信機１の同期通信可能範囲に入った場合、当該同期通信の信号であるＥＰＧＩＤ８ｅを受信する。又、テレビ受信機１との間で同期をとるよう要求等を送信する。尚、ＥＰＧＩＤ８ｅ受信は携帯通信端末２がテレビ受信機１との同期処理終了後、テレビ受信機１の同期通信可能範囲に存在さえしていれば、ユーザからの同期切断指示がない限り永続的に行われる。
【００３９】
画像表示部３３は、受信アンテナ１１が受信するテレビ画像、双方向通信部３５から送信される画像、又はＣＰＵ３２から指示される各機能を発揮するため又は発揮状態を表す画面を表示する。
【００４０】
スピーカ３４は、双方向通信部３５から送信される音声、又はＣＰＵ３２から指示される各機能を発揮するため又は発揮状態を表す音声を表示する。
【００４１】
双方向通信部３５は、携帯通信端末２と携帯通信網又はインターネット回線１０等との間での双方向データ通信を行う。
【００４２】
メモリ部３６は、携帯通信端末２と携帯通信網又はインターネット回線１０等から送信される映像や音声のデータ、同期処理に必要な受信機識別ＩＤや端末個体識別ＩＤ、Ｅコマース決済における課金に必要なユーザ登録情報、例えば名前、住所、電話番号、生年月日、暗証番号、パスワード、課金ＩＤ等を格納する。
【００４３】
ＣＰＵ３２は、適宜に以下の手段を取得し演算処理する。これにより携帯通信端末２の備える各機能のプログラムが実行される。
【００４４】
字幕／データ放送制御手段３２ａは、番組の字幕やデータ放送に関する画像表示等の制御を行う。
【００４５】
ＥＰＧ制御手段３２ｂ、ＥＰＧに関するチャンネル選局、画像表示等の制御を行う。
【００４６】
リモコン手段３２ｃは、テレビ受信機１への遠隔操作、例えばチャンネル選局、音量の大小、ビデオ視聴の際の映像の早送り及び早戻し、ゲームプレイする際のコントローラ等の操作を行う。
【００４７】
ＥＰＧ通信部制御手段３２ｄは、テレビ受信機１にて現在表示、放送している番組を識別するためのＥＰＧＩＤ８ｅをテレビ受信機１から受信する。又、同期処理を行うように携帯通信端末制御サーバ３に依頼する等の同期処理を制御する。同期依頼の際には、テレビ受信機識別ＩＤ、自己（携帯通信端末２）を特定するための個体識別ＩＤ、現在視聴している番組を識別するためのＥＰＧＩＤ８ｅ等含む情報を携帯通信端末制御サーバ３に送信する。
【００４８】
双方向通信部制御手段３２ｅは、携帯通信端末２と携帯通信網又はインターネット回線１０等との間における双方向データ通信の制御を行う。
【００４９】
ユーザ情報登録手段３２ｆは、同期処理に必要な受信機識別ＩＤ、端末個体識別ＩＤ、Ｅコマース決済における課金に必要なユーザ登録情報、例えば名前、住所、電話番号、生年月日、暗証番号、パスワード、課金ＩＤ等をメモリ部３６に格納する。
【００５０】
Ｅコマース決済手段３２ｇは、携帯通信端末２が商品を購入する際に決済処理をおこなう。決済の準備として、決済登録開始画面上にユーザの氏名、フリガナ、メールアドレス、郵便番号、住所、電話番号、支払方法、パスワード等を入力させ、購入時にはこれらの入力データを決済サーバ７に送信する。
【００５１】
（携帯通信端末制御サーバ）
携帯通信端末制御サーバ３は、図３に示すように、入力装置４１、出力装置４２、通信制御装置４３、一時記憶装置４４、ＣＰＵ４５、ＥＰＧＩＤ毎表示データ記憶部４６およびユーザ情報記憶部４７等を備える。ＣＰＵ４５は、同期処理手段４５ａ、ＥＰＧＩＤ判断手段４５ｂ、画面表示用データ検索手段４５ｃ、画面表示用データ送信手段４５ｄ、ユーザ情報登録更新手段４５ｅおよびＥＰＧＩＤ毎表示データ登録更新手段４５ｆ等を備える。
【００５２】
ＥＰＧＩＤ毎表示データ記憶部４６は、ＥＰＧＩＤ８ｅ毎に表示すべき画面表示データを格納する。画面表示データは例えば図４に表示するようなテーブル状に格納され、ＥＰＧＩＤ８ｅ、番組時間帯、番組名、内容、画面表示データ等の項目から構成される。例えば、ＥＰＧＩＤ「Ａ００１」では１５分間放送されるドラマ番組を定義しているとする。当該放送期間中は画面表示データとして、このドラマ番組に関連する情報を画面表示データとして表示する。例えば、ドラマ番組「あいうえお」３回目、漫画原作の恋愛ドラマで、主演女優が○山△子で、主題歌がＡＢＣであったとする。この場合、携帯通信端末２に提示する画面表示データとして、１．ドラマの基本情報（放送番組のホームページへリンク）、２．前回までのドラマをダウンロード視聴する（ダウンロード購入へのリンク）、３．原作漫画を電子書籍で読む（電子書籍ダウンロード購入へのリンク）又は購入する（書籍購入へのリンク）、４．主題歌をダウンロードする（楽曲ダウンロード購入へのリンク）、５．主題歌を歌う歌手のアルバムを購入する（アルバムダウンロード購入又はＣＤ購入へのリンク）、６．アンケートに答えて○山△子のサイン入りＴシャツをもらおう！（視聴者アンケートへの協力依頼へのリンク）、７．ドラマについてつぶやく（ツイッター機能へのリンク）等から構成される。これらは図１の双方向サービス事業社サーバ５、テレビ通販サーバ６又は放送局システム８側からの依頼によって予め準備しておくものとする。
【００５３】
また、ＥＰＧＩＤ「Ａ１０１」が、２０秒間放送されるデジタルカメラのテレビコマーシャルを定義しているとする。この場合、携帯通信端末２に提示する画面表示データとして、１．もっと新製品を知りたい→メーカサイトへ！（メーカサイトへのリンク）、２．このデジタルカメラを購入する（メーカサイト又は販売ホームページへのリンク）、３．このカメラを買ったユーザの口コミ評価が知りたい！（口コミサイトへのリンク）、４．このＣＭ男優は誰？（芸能プロダクションホームページへのリンク）、５．このＣＭソングは何？（メーカサイト又は歌手のサイトへのリンク）、６．このＣＭソングをダウンロード購入する（ダウンロード購入へのリンク）、７．このＣＭについてつぶやく（ツイッター機能へのリンク）等から構成される。
【００５４】
ユーザ情報記憶部４７は、テレビ受信機１を特定する受信機識別ＩＤ、携帯通信端末２の個体識別ＩＤ、現在視聴している番組を識別するためのＥＰＧＩＤ８ｅ等を格納する。更に、Ｅコマース決済にて使用するユーザの課金情報を格納してもよい。尚、課金情報の場合はＥコマース決済に不可欠な情報ではなく、一度Ｅコマース決済を行ったユーザがそれ以降、重複した情報を送信する必要等無いように、円滑に且つスピーディーに決済を進めるために必要な情報であるものとする。Ｅコマース決済に不可欠な情報、例えば決済のパスワード等は携帯通信端末２のメモリ部３６に格納されているものとする。
【００５５】
同期処理手段４５ａは、携帯通信端末２から送信されるテレビ受信機１との同期依頼を取得し、同期依頼に含まれる依頼先携帯通信端末２を特定するための個体識別ＩＤ、現在視聴している番組を識別するためのＥＰＧＩＤ８ｅ等を判断し、当該番組とユーザの携帯通信端末２上に表示される画面表示データとの同期処理を行う。尚、携帯通信端末２を特定するため個体識別ＩＤ、ＥＰＧＩＤ８ｅ等はユーザ情報記憶部４７に登録する。
【００５６】
ＥＰＧＩＤ判断手段４５ｂは、ＥＰＧ配信サーバ４から送信されるＥＰＧよりＥＰＧＩＤ８ｅを取得し、当該ＥＰＧＩＤ８ｅより番組を特定するための識別子及び時間コードを判断する。
【００５７】
画面表示用データ検索手段４５ｃは、番組を特定するための識別子及び時間コードを基に、同期するための画像表示データをＥＰＧＩＤ毎表示データ記憶部４６より検索する。
【００５８】
画面表示用データ送信手段４５ｄは、検索された同期画像表示データを、ユーザ情報記憶部４７に格納される携帯通信端末２の個体識別ＩＤを基に、同期依頼元の携帯通信端末２に送信する。
【００５９】
ユーザ情報登録更新手段４５ｅは、同期依頼先携帯通信端末２から送信されるテレビ受信機識別ＩＤ、携帯通信端末２の個体識別ＩＤ、ＥＰＧＩＤ８ｅ、ユーザの課金情報等の情報をユーザ情報記憶部４７に登録更新する。
【００６０】
ＥＰＧＩＤ毎表示データ登録更新手段４５ｆは、ＥＰＧ配信サーバ４より新たなＥＰＧ及びＥＰＧＩＤ８ｅを取得し、当該データを基に画面表示データを作成して、ＥＰＧＩＤ毎表示データ記憶部４６に格納する。
【００６１】
入力装置４１は、キーボード、マウス、又はハードディスク等の外部記憶装置からの入力信号を受信するインタフェースである。出力装置４２は、処理結果等を出力するための装置であり、具体的には液晶ディスプレイ、ＣＲＴディスプレイ、プリンタ等を指す。通信制御装置４３は、外部の装置間においてデータを送受信する為の制御信号を生成する。一時記憶装置４４は、演算処理等を行う際に使用する作業用メモリである。
【００６２】
（Ｅコマースシステムの動作）
次に、本発明の実施の形態に係るＥコマースシステム１００の動作について説明する。本動作は大きく以下の二つに分けられる。
【００６３】
１．携帯通信端末２がテレビ受信機１と同期をとる動作
２．携帯通信端末２が商品を購入した際に携帯通信端末制御サーバ３が決済処理を行う動作
以下、これらの動作について詳細に説明する。
【００６４】
（携帯通信端末がテレビ受信機と同期をとる動作）
先ず、携帯通信端末２がテレビ受信機１と同期をとる動作について図５のフローチャートを参照して説明する。
【００６５】
(ａ)ステップＳ１０１において、携帯通信端末２のＥＰＧ通信部３１が、同期可能な範囲１ａにおいて（図６参照）、ＥＰＧ通信の同期が可能なテレビ受信機１を検索する。ステップＳ１０２において、テレビ受信機１のＥＰＧ通信部２２は携帯通信端末２が検索をしていることを発見する。すると、ＣＰＵ１９のＥＰＧ通信部制御手段１９ｄは、当該携帯通信端末２に対して、当該テレビ受信機１と同期が可能であることをＥＰＧ通信部２２に返信させる。
【００６６】
（ｂ）ステップＳ１０３において、携帯通信端末２のＥＰＧ通信部３１が同期可能の通知を受信すると、ＥＰＧ通信部制御手段３２ｄは、画像表示部３３上に図６のような「同期開始」画像を表示させる。ステップＳ１０４において、同期開始ボタンが選択されると、ＥＰＧ通信部制御手段３２ｄは、同期信号を生成し、テレビ受信機１へ送信する。
【００６７】
（ｃ）ステップＳ１０５において、携帯通信端末２から同期信号を受信すると、テレビ受信機１のＥＰＧ通信部制御手段１９ｄは、ＥＰＧ通信部２２に、同期先の携帯通信端末２へ当該テレビ受信機１を識別するための受信機識別ＩＤと現在受信中のＥＰＧＩＤ８ｅを返信させる。
【００６８】
（ｄ）ステップＳ１０６において、携帯通信端末２が、受信機識別ＩＤとＥＰＧＩＤ８ｅを受信すると、ＥＰＧ通信部制御手段３２ｄは、携帯通信端末２の個体識別ＩＤをメモリ部３６より取得し、双方向通信部３５に、受信機識別ＩＤ、携帯通信端末２の個体識別ＩＤ及びＥＰＧＩＤ８ｅを携帯通信網やインターネット１０等を介して、携帯通信端末制御サーバ３へ対し送信させる。
【００６９】
（ｅ）ステップＳ１０７においては、携帯通信端末制御サーバ３の同期処理手段４５ａが受信機識別ＩＤ、個体識別ＩＤ、ＥＰＧＩＤ８ｅを受信すると、同期処理の登録依頼であると判断し、ＥＰＧＩＤ判断手段４５ｂにＥＰＧＩＤ８ｅを、ユーザ情報登録更新手段４５ｅに受信機識別ＩＤおよび個体識別ＩＤを送信する。ユーザ情報登録更新手段４５ｅは、受信機識別ＩＤおよび携帯通信端末の個体識別ＩＤ等をユーザ情報記憶部４７に格納する。ＥＰＧＩＤ判断手段４５ｂは、ＥＰＧＩＤ８ｅを取得すると、当該ＥＰＧＩＤ８ｅより番組を特定するための識別子及び時間コードを判断する。画面表示用データ検索手段４５ｃは、番組を特定するための識別子及び時間コードを基に、同期するための画像表示データをＥＰＧＩＤ毎表示データ記憶部４６より検索する。画面表示用データ送信手段４５ｄは、検索された同期画像表示データを、ユーザ情報記憶部４７に格納される受信機識別ＩＤおよび個体識別ＩＤを基に、依頼元の携帯通信端末２に返信する。
【００７０】
（ｆ）ステップＳ１０８において、携帯通信端末２の双方向通信部３５がインターネット１０等を介して画像表示データを受信すると、Ｅコマース決済手段３２ｇは、ユーザのＥコマース決済に必要な情報が登録されていない場合に限り、図７（ａ）の決済登録開始画面を画像表示部３３に提示し、図７（ｂ）にてユーザの氏名、フリガナ、メールアドレス、郵便番号、住所、電話番号、お支払方法、パスワード等を入力するよう促す。入力が完了すると、図７（ｃ）の登録終了画面を画像表示部３３に提示する。入力完了後、ユーザ情報登録手段３２ｆは、これらのＥコマース決済情報を、メモリ部３６に格納する。尚、決済登録処理は同期処理時ではなく、ユーザが商品を購入した際に入力させるようにしても構わない。
【００７１】
（ｇ）ステップＳ１０９において、ＥＰＧ通信部制御手段３２ｄは、画像表示部３３に受信した画像表示データを表示させる。例えば、図８（ａ）のように、広告番組が行われている場合、当該広告番組のＥＰＧＩＤ８ｅに対応する画像表示データを双方向通信部３５に携帯通信端末制御サーバ３より受信させ、図８（ｂ）のように画像表示部３３に提示する。尚、図８（ｂ）はＥＰＧＩＤ毎表示データの画像表示方法の一例であり、画像を分割する、文字や映像を流す等のユーザインタフェースの向上のために必要な画面処理を行っても構わない。
【００７２】
（ｈ）ステップＳ１１０において、図８（ｂ）の画像表示部３３上の画面表示データのいずれかのボタンが画像表示部３３へのタッチ等にて選択された場合、ＥＰＧ通信部制御手段３２ｄは、ＥＰＧ通信部３１に、携帯通信端末制御サーバ３との同期処理が完了した旨の信号を送信させる。
【００７３】
（ｉ）ステップＳ１１１においては、テレビ受信機１のＥＰＧ通信部２２が携帯通信端末２より同期処理が完了した旨の信号を受信すると、ＥＰＧ通信部制御手段１９ｄはこれを確認し、同期処理が完了する。更に、現在放送中の番組が新たなＥＰＧＩＤ８ｅに係るものである場合、当該新たなＥＰＧＩＤ８ｅおよび受信機識別ＩＤを携帯通信端末２へ送信する。
【００７４】
（ｊ）ステップＳ１１２においては、ＥＰＧ通信部制御手段３２ｄは、図８（ｂ）の画像表示部３３上の画面表示データで選択されていたボタンを識別するための操作ボタンＩＤ、受信機識別ＩＤ、端末個体識別ＩＤ、ＥＰＧＩＤ８ｅを、双方向通信部３５に渡し、双方向通信部３５は、これらのＩＤを携帯通信網やインターネット１０等の通信により携帯通信端末制御サーバ３へ送信する。
【００７５】
（ｋ）ステップＳ１１３においては、携帯通信端末制御サーバ３がこれらのＩＤを受信すると、同期処理手段４５ａが、操作ボタンＩＤ、受信機識別ＩＤ、端末個体識別ＩＤおよびＥＰＧＩＤ８ｅの整合性をユーザ情報記憶部４７内の受信機識別ＩＤおよび個体識別ＩＤ等を基にしてチェックする。ステップＳ１１４において、整合性のチェックに問題がない場合は、操作ボタンＩＤが指定する制御指示を実行する。ここで制御指示とは、図８（ｂ）の画像表示部３３上の画面表示データに並んで記載される指示を指す。制御指示の内容が「２．キャンペーンについて教えて！」等のメーカサイトへのリンク希望であれば、当該テレビ通販サーバ６へ接続する。「６．ＣＭソングをダウンロードする」等の音楽データ配信サイトへのリンク希望であれば、当該双方向サービス事業社サーバ５へ接続する。ステップＳ１１５にて、実行結果は携帯通信端末２に送信される。
【００７６】
（ｌ）ステップＳ１１６において、実行結果を受け取った携帯通信端末２は、画像表示部３３に当該実行結果を表示する。
【００７７】
尚、同期処理完了後（Ｓ１１１）は、ユーザの意思とは無関係に、テレビ受信機１は携帯通信端末２に対しＥＰＧＩＤ８ｅを送信する。尚、携帯通信端末２と携帯通信端末制御サーバ３との間でもＥＰＧＩＤ８ｅに対応する画面表示データの受け渡しが行われる。これにより、図８（ｂ）の画像表示部３３上の画面表示データはＥＰＧＩＤ８ｅ毎等に自動更新されることとなる。
【００７８】
（携帯通信端末制御サーバが決済処理を行う動作）
次に、画面表示データ上の選択項目において、決済処理処理が発生した場合の処理について図９のフローチャートを参照して説明する。
【００７９】
（ａ）ステップＳ２０１において、携帯通信端末制御サーバ３が、携帯通信端末２より決済が必要となる指示を受ける。例えば、図１０（ａ）のＣＭ番組放送に対応する商品購入が指示された（図１０（ｂ）参照）、又は図１１（ａ）のビデオオンデマンド購入が指示された（図１１（ｂ）参照）とする。尚、以下においては一例として図１１（ａ）（ｂ）のビデオオンデマンド購入が指示された場合について説明する。ステップＳ２０２において、携帯通信端末制御サーバ３は、当該ビデオオンデマンド購入が表示されていた画面表示データに係るＥＰＧＩＤ８ｅおよびＥＰＧＩＤに付帯する情報を、ビデオ販売会社である双方向サービス事業社サーバ５に送信する。尚、ＥＰＧＩＤに付帯する情報とは、コンテンツタイトルや課金情報等を指す。
【００８０】
（ｂ）ステップＳ２０３において、双方向サービス事業社サーバ５は、ＥＰＧＩＤ８ｅおよびＥＰＧＩＤに付帯する情報の整合性をチェックし、整合性チェック結果を携帯通信端末制御サーバ３に送信する。ステップＳ２０４においては、整合性チェック結果に問題がない場合は、携帯通信端末制御サーバ３はユーザ情報記憶部４７に保持される決済に必要な情報を取得し、更に携帯通信端末制御サーバ３は決済に必要なパスワード等の個人情報を携帯通信端末２に送信依頼し、これを取得する。尚、この段階で図７の決済機能登録を行っても構わない。ステップＳ２０５において、決済に必要な情報及び個人情報は決済サーバ７へ送信される。
【００８１】
（ｃ）ステップＳ２０６において、決済サーバ７が決済に必要な情報及び個人情報を取得すると、決済可能か否かを判定し、決済判定の結果を決定する決済判定結果ＩＤを携帯通信端末制御サーバ３へ送信する。ステップＳ２０７において、決済可能な場合、決済判定結果ＩＤ、受信機識別ＩＤ、端末個体識別ＩＤおよびＥＰＧＩＤを双方向サービス事業社サーバ５へ送信する。
【００８２】
（ｄ）ステップＳ２０８において、双方向サービス事業社サーバ５が決済判定結果ＩＤ、受信機識別ＩＤ、端末個体識別ＩＤおよびＥＰＧＩＤを受信すると、ＥＰＧＩＤで指定されたコンテンツに対して、受信機識別ＩＤで識別される受信機に対してコンテンツを配信し（図１２（ａ）参照）、併せて端末個体識別ＩＤで識別される再生、停止、音量コントロール等の操作信号（図１２（ｂ）参照）を受け付ける状態とする。
【００８３】
（ｅ）ステップＳ２０９において、携帯通信端末制御サーバ３が、携帯通信端末２において、図１２（ｂ）の再生ボタンが入力されたことを受信すると、ステップＳ２１０において、端末個体識別ＩＤ 、ＥＰＧＩＤ８ｅ、操作ＩＤ（再生）を双方向サービス事業社サーバ５に送信する。
【００８４】
（ｆ）ステップＳ２１１において、双方向サービス事業社サーバ５が端末個体識別ＩＤ 、ＥＰＧＩＤ８ｅ、操作ＩＤ（再生）を受信すると、受信機識別ＩＤで識別されるテレビ受信機１に対して再生操作を実行し、実行結果を携帯通信端末制御サーバ３に返信する。ステップＳ２１２においては、携帯通信端末制御サーバ３が現在ビデオ再生中であることを携帯通信端末２へ送信する。今後の視聴環境におけるリモコン操作はテレビ受信機１のリモコン制御手段１９ｃと携帯通信端末２のリモコン制御手段３２ｃが、互いのＥＰＧ通信部２２、３１を介して行うようにしても良い。
【００８５】
尚、上記ではビデオオンデマンドについて説明したが、ゲームプレイ購入にも適用可能である。ユーザが携帯通信端末２の画像表示部３３等を介してゲームプレイ購入を選択すると（図１３（ａ）（ｂ）参照）、双方向サービス事業社サーバ５、携帯通信端末制御サーバ３および決済サーバ７は上記のステップＳ２０１〜Ｓ２１２の処理を同様に行うことでゲーム画面がテレビ受信機１に提示され（ステップＳ２０８、図１４（ａ）参照）、更に携帯通信端末２ではゲームの操作が可能となる（ステップＳ２０８、図１４（ｂ）参照）。
【００８６】
又、双方向サービス事業社によるデジタル商品の取引に関わらず、非デジタル商品の発注までの処理を上記のステップＳ２０１〜Ｓ２０７までテレビ通販サーバ６との間で行い、その後の商品発注処理を郵送、宅配等で行うようにすることで、非デジタル商品にまで適用することが可能である。非デジタル商品の場合、例えば、図１０（ａ）のような広告番組で放送されている商品を図１０（ｂ）の画面の購入ボタンをワンプッシュすることで、代金決済、商品発送までを一括して行えるようにする。
【産業上の利用可能性】
【００８７】
このように、本発明によると、テレビ受信機の放送情報と連動した個人の携帯通信端末からワンプッシュで即時購買が可能となる。1つのテレビ受像装置に対して、同じ場所にある複数の携帯通信端末から個別の決済ルールに基づき同時に購買が可能となる。第三者のテレビ受信機で視聴した放送情報に対して、テレビ受像装置側に決済情報や個人情報を受け渡さずにセキュリティを担保した状態で、個人の携帯通信端末から即時購買が可能となる。最低限の操作でユーザの意思表示が可能なように、テレビ放送の情報に連動して操作ツール（タッチパネル等）を動的に変化させることで、年齢や知識進度に関わらず誰でも容易に操作が可能となる。テレビ放送情報との同期方式を複数備えることで、機器間の互換性や利用環境に左右されない利用が可能となる。
【符号の説明】
【００８８】
１…テレビ受信機
１ａ…同期範囲
２…携帯通信端末
３…携帯通信端末制御サーバ
４…ＥＰＧ配信サーバ
５…双方向サービス事業社サーバ
６…テレビ通販サーバ
７…決済サーバ
８…放送局システム
８ａ…映像
８ｂ…音声
８ｃ…データ放送
８ｄ…ＥＰＧ情報
８ｅ…ＥＰＧＩＤ
９…テレビ受信機用受信アンテナ
１０…インターネット回線網
１２…選局部
１３…ＯＦＤＮ復調部
１４…訂正部
１５…多重分離部
１６…ＭＰＥＧデコード部
１７…画像重畳部
１８…双方向通信部
１９…ＣＰＵ
１９ａ…字幕／データ放送制御手段
１９ｂ…ＥＰＧ制御手段
１９ｃ…リモコン制御手段
１９ｄ…ＥＰＧ通信部制御手段
１９ｅ…双方向通信部制御手段
２０…画像表示部
２１…スピーカ
２２…ＥＰＧ通信部
３１…ＥＰＧ通信部
３２…ＣＰＵ
３２ａ…字幕／データ放送制御手段
３２ｂ…ＥＰＧ制御手段
３２ｃ…リモコン手段
３２ｄ…ＥＰＧ通信部制御手段
３２ｅ…双方向通信部制御手段
３２ｆ…ユーザ情報登録手段
３２ｇ…Ｅコマース決済手段
３３…画像表示部
３４…スピーカ
３５…双方向通信部
３６…メモリ部
４１…入力装置
４２…出力装置
４３…通信制御装置
４４…一時記憶装置
４５…ＣＰＵ
４５ａ…同期処理手段
４５ｂ…ＥＰＧＩＤ判断手段
４５ｃ…画面表示用データ検索手段
４５ｄ…画面表示用データ送信手段
４５ｅ…ユーザ情報登録更新手段
４５ｆ…ＥＰＧＩＤ毎表示データ登録更新手段
４６…ＥＰＧＩＤ毎表示データ記憶部
４７…ユーザ情報記憶部
１００…Ｅコマースシステム
【図１】
2012029050.tif 000003
【図２】
2012029050.tif 000004
【図３】
2012029050.tif 000005
【図４】
2012029050.tif 000006
【図５】
2012029050.tif 000007
【図６】
2012029050.tif 000008
【図７】
2012029050.tif 000009
【図８】
2012029050.tif 000010
【図９】
2012029050.tif 000011
【図１０】
2012029050.tif 000012
【図１１】
2012029050.tif 000013
【図１２】
2012029050.tif 000014
【図１３】
2012029050.tif 000015
【図１４】
2012029050.tif 000016